【手続補正書】
【提出日】平成15年9月29日(2003.9.29)
【手続補正１】
【補正対象書類名】明細書
【補正対象項目名】発明の名称
【補正方法】変更
【補正の内容】
【発明の名称】中間転写ベルト、転写搬送ベルト、その製造方法及び画像形成装置


【手続補正２】
【補正対象書類名】明細書
【補正対象項目名】特許請求の範囲
【補正方法】変更
【補正の内容】
【特許請求の範囲】
【請求項１】
１次転写バイアスの印加下で画像担持体からトナー像が表面に転写され、該転写されたトナー像は、２次転写バイアスの印加下で転写材に転写されるものである中間転写ベルトであって、該中間転写ベルトは、ポリアリレート樹脂を含んでいるシームレスベルトを具備していることを特徴とする中間転写ベルト。
【請求項２】
前記ポリアリレート樹脂が下記構造式（１）で表される請求項１に記載の中間転写ベルト：
【化１】
2000137389.tif 000001
。
【請求項３】
該シームレスベルトの体積抵抗が１０0〜１０14Ωである請求項１又は２に記載の中間転写ベルト。
【請求項４】
該シームレスベルトの周方向における体積抵抗の最大値が、最小値の１００倍以内である請求項１〜３のいずれかに記載の中間転写ベルト。
【請求項５】
該シームレスベルトの周方向における表面抵抗の最大値が、最小値の１００倍以内である請求項１〜４のいずれかに記載の中間転写ベルト。
【請求項６】
該シームレスベルトの長手方向における体積抵抗の最大値が、最小値の１００倍以内である請求項１〜５のいずれかに記載の中間転写ベルト。
【請求項７】
該シームレスベルトの長手方向における表面抵抗の最大値が、最小値の１００倍以内である請求項１〜６のいずれかに記載の中間転写ベルト。
【請求項８】
該シームレスベルトが、環状ダイスの先端から押出し機でチューブ状に溶融押出しされたものである請求項１〜７のいずれかに記載の中間転写ベルト。
【請求項９】
トナー像を有している画像担持体の中間転写ベルトへの転写を、１次転写ローラが配設されている、該画像担持体と該中間転写ベルトとの二ップ部において、１次転写バイアスの印加の下で行うと共に、
該中間転写ベルト上に１次転写されたトナー像の転写材への転写を、該中間転写ベルトと２次転写ローラとによる該転写材の挟持部において、２次転写バイアスの印加の下で行う画像形成装置において、該中間転写ベルトが、請求項１〜８のいずれかに記載の中間転写ベルトであることを特徴とする画像形成装置。
【請求項１０】
トナー像を有している画像担持体と共に、転写バイアスの印加の下で、転写材を挟持することによって該転写材にトナー像を転写せしめるのに用いられる転写搬送ベルトであって、該転写搬送ベルトが、ポリアリレート樹脂を含んでいるシームレスベルトを具備していることを特徴とする転写搬送ベルト。
【請求項１１】
前記ポリアリレート樹脂が上記構造式（１）で表される請求項１０に記載の転写搬送ベルト。
【請求項１２】
該シームレスベルトの体積抵抗が１０0〜１０14Ωである請求項１０又は１１に記載の転写搬送ベルト。
【請求項１３】
該シームレスベルトの周方向における体積抵抗の最大値が、最小値の１００倍以内である請求項１０〜１２のいずれかに記載の転写搬送ベルト。
【請求項１４】
該シームレスベルトの周方向における表面抵抗の最大値が、最小値の１００倍以内である請求項１０〜１３のいずれかに記載の転写搬送ベルト。
【請求項１５】
該シームレスベルトの長手方向における体積抵抗の最大値が、最小値の１００倍以内である請求項１０〜１４のいずれかに記載の転写搬送ベルト。
【請求項１６】
該シームレスベルトの長手方向における表面抵抗の最大値が、最小値の１００倍以内である請求項１０〜１５のいずれかに記載の転写搬送ベルト。
【請求項１７】
該シームレスベルトが、環状ダイスの先端から押出し機でチューブ状に溶融押出しされたものである請求項１０〜１６のいずれかに記載の転写搬送ベルト。
【請求項１８】
トナー像を有している画像担持体の転写材への転写を、該画像担持体と転写搬送ベルトとによる該転写材の挟持部において、転写バイアスの印加の下で行う画像形成装置において、該転写搬送ベルトが、請求項１０〜１７のいずれかに記載の転写搬送ベルトであることを特徴とする画像形成装置。
【請求項１９】
請求項１〜８のいずれかの中間転写ベルトの製造方法であって、
該中間転写ベルトが具備しているシームレスベルトを製造する下記（ｉ）〜（ｖｉ）の工程を有していることを特徴とする中間転写ベルトの製造方法：
（ｉ）少なくともポリアリレート樹脂を含有する成形用原料を、環状ダイスの先端から押出し機で、チューブ状に溶融押出しする工程、
（ｉｉ）前記チューブ状の溶融押出し物を、前記チューブ状の溶融押出し物の長手方向に対して直交方向に押し潰したときの全幅で挟持する挟持部材を通過させつつ、前記環状ダイスからの溶融押出し物の押出し速度よりも速い引取り速度で引取る工程、
（ｉｉｉ）前記チューブ状の溶融押出し物に、大気圧以上の気体を吹き込むことによって前記チューブ状の溶融押出し物を膨張させる工程、及び
（ｉｖ）前記チューブ状の溶融押出し物を、その長手方向に対して直交する方向に所定の長さで直角またはほぼ直角に切断して、肉厚が、前記環状ダイスのダイキャップよりも薄い肉厚を有し、且つ前記環状ダイスの直径の５０〜４００％の直径を有するシームレスベルトを得る工程。
【請求項２０】
請求項１０〜１７のいずれかに記載の転写搬送ベルトの製造方法であって、
該転写搬送ベルトが具備しているシームレスベルトを製造する下記（ｉ）〜（ｖｉ）の工程を有していることを特徴とする転写搬送ベルトの製造方法：
（ｉ）少なくともポリアリレート樹脂を含有する成形用原料を、環状ダイスの先端から押出し機で、チューブ状に溶融押出しする工程、
（ｉｉ）前記チューブ状の溶融押出し物を、前記チューブ状の溶融押出し物の長手方向に対して直交方向に押し潰したときの全幅で挟持する挟持部材を通過させつつ、前記環状ダイスからの溶融押出し物の押出し速度よりも速い引取り速度で引取る工程、
（ｉｉｉ）前記チューブ状の溶融押出し物に、大気圧以上の気体を吹き込むことによって前記チューブ状の溶融押出し物を膨張させる工程、及び
（ｉｖ）前記チューブ状の溶融押出し物を、その長手方向に対して直交する方向に所定の長さで直角またはほぼ直角に切断して、肉厚が、前記環状ダイスのダイキャップよりも薄い肉厚を有し、且つ前記環状ダイスの直径の５０〜４００％の直径を有するシームレスベルトを得る工程。
【手続補正３】
【補正対象書類名】明細書
【補正対象項目名】００３３
【補正方法】変更
【補正の内容】
【００３３】
【発明を解決するための手段】
本発明に従って、１次転写バイアスの印加下で画像担持体からトナー像が表面に転写され、該転写されたトナー像は、２次転写バイアスの印加下で転写材に転写されるものである中間転写ベルトであって、該中間転写ベルトは、ポリアリレート樹脂を含んでいるシームレスベルトを具備していることを特徴とする中間転写ベルトが提供される。


【手続補正４】
【補正対象書類名】明細書
【補正対象項目名】００３４
【補正方法】変更
【補正の内容】
【００３４】
また本発明に従って、トナー像を有している画像担持体と共に、転写バイアスの印加の下で、転写材を挟持することによって該転写材にトナー像を転写せしめるのに用いられる転写搬送ベルトであって、該転写搬送ベルトが、ポリアリレート樹脂を含んでいるシームレスベルトを具備していることを特徴とする転写搬送ベルトが提供される。


【手続補正５】
【補正対象書類名】明細書
【補正対象項目名】００３５
【補正方法】変更
【補正の内容】
【００３５】
更に本発明に従って、トナー像を有している画像担持体の中間転写ベルトへの転写を、１次転写ローラが配設されている、該画像担持体と該中間転写ベルトとの二ップ部において、１次転写バイアスの印加の下で行うと共に、
該中間転写ベルト上に１次転写されたトナー像の転写材への転写を、該中間転写ベルトと２次転写ローラとによる該転写材の挟持部において、２次転写バイアスの印加の下で行う画像形成装置において、該中間転写ベルトが、上記中間転写ベルトであることを特徴とする画像形成装置が提供される。
更に本発明に従って、トナー像を有している画像担持体の転写材への転写を、該画像担持体と転写搬送ベルトとによる該転写材の挟持部において、転写バイアスの印加の下で行う画像形成装置において、該転写搬送ベルトが、上記転写搬送ベルトであることを特徴とする画像形成装置が提供される。


【手続補正６】
【補正対象書類名】明細書
【補正対象項目名】００３６
【補正方法】変更
【補正の内容】
【００３６】
尚更に本発明に従って、上記中間転写ベルト又は上記転写搬送ベルトが具備しているシームレスベルトを製造する下記（ｉ）〜（ｖｉ）の工程を有していることを特徴とする中間転写ベルト又は転写搬送ベルトの製造方法が提供される：
（ｉ）少なくともポリアリレート樹脂を含有する成形用原料を、環状ダイスの先端から押出し機で、チューブ状に溶融押出しする工程、
（ｉｉ）前記チューブ状の溶融押出し物を、前記チューブ状の溶融押出し物の長手方向に対して直交方向に押し潰したときの全幅で挟持する挟持部材を通過させつつ、前記環状ダイスからの溶融押出し物の押出し速度よりも速い引取り速度で引取る工程、
（ｉｉｉ）前記チューブ状の溶融押出し物に、大気圧以上の気体を吹き込むことによって前記チューブ状の溶融押出し物を膨張させる工程、及び
（ｉｖ）前記チューブ状の溶融押出し物を、その長手方向に対して直交する方向に所定の長さで直角またはほぼ直角に切断して、肉厚が、前記環状ダイスのダイキャップよりも薄い肉厚を有し、且つ前記環状ダイスの直径の５０〜４００％の直径を有するシームレスベルトを得る工程。